(57)【要約】【課題】底面側通風路内の空気の流通抵抗による風量の低下を来すことがなく、しかも流通空気による騒音の低減を図ることのできるオープンショーケースを提供する。【解決手段】底面側通風路４０内の前端側に設けた空気案内部材４３により、空気吸入口４０ａから吸入された空気を底面側通風路４０内の所定高さ位置から送風機４１に向かって略水平に流通させるようにしたので、送風機４１まで流通する空気と底面側通風路４０の内面やファンダクト４２との接触を少なくすることができ、これにより底面側通風路４０内の空気の流通抵抗による風量の低下を来すことがなく、しかも流通空気による騒音の低減を図ることができる。【選択図】図４
2005308298.tif 000002
【特許請求の範囲】
【請求項１】
前面を開口したショ−ケ−ス本体と、ショ−ケ−ス本体の少なくとも底面側に沿って延びる通風路と、底面側通風路内の前端側から後方に所定距離をおいて配置された送風機とを備え、底面側通風路の前端側上部に設けた空気吸入口から送風機によって底面側通風路内に空気を吸入するようにしたオープンショーケースにおいて、
前記底面側通風路内の前端側に、空気吸入口から吸入された空気を底面側通風路内の所定高さ位置から送風機に向かって略水平に流通させる空気案内部を設けた
ことを特徴とするオープンショーケース。
【請求項２】
前記空気案内部を、底面側通風路の前端側内面から後方に向かって略水平に延びる水平面部と、水平面部の後端から底面側通風路の底面まで略垂直に延びる垂直面部とから形成した
ことを特徴とする請求項１記載のオープンショーケース。
【請求項３】
前記空気案内部の水平面部を空気吸入口の前後方向の長さとほぼ同等またはやや長く形成した
ことを特徴とする請求項２記載のオープンショーケース。
【請求項４】
前記空気案内部の水平面部を送風機の上端から下端までの間に対応する高さ位置に設けた
ことを特徴とする請求項２または３記載のオープンショーケース。
【請求項５】
前記空気案内部の水平面部を送風機の上下方向略中央に対応する高さ位置に設けた
ことを特徴とする請求項２または３記載のオープンショーケース。
【請求項６】
前記空気案内部を略Ｌ字状に屈曲した板状部材によって形成した
ことを特徴とする請求項１、２、３または４記載のオープンショーケース。
【請求項７】
前記空気案内部を底面側通風路の内壁に一体に形成した
ことを特徴とする請求項１、２、３または４記載のオープンショーケース。
【発明の詳細な説明】
【技術分野】
【０００１】
本発明は、例えばコンビニエンスストア等の店舗内に設置されるオープンショーケースに関するものである。
【背景技術】
【０００２】
従来、この種のオープンショーケースとしては、前面を開口したショーケース本体と、ショーケース本体の上面、背面及び底面に沿って形成された通風路と、底面側通風路内に配置された送風機と、背面側通風路内に配置された冷却器とを備え、底面側通風路の前端側から底面側通風路に吸入した空気を背面側通風路内の冷却器によって冷却し、上面側通風路の前端側から冷却空気を吹出すことにより、ショーケース本体の前面開口部にエアカーテンを形成するようにしたものが知られている。
【特許文献１】特開２０００−２３４８３９号公報
【発明の開示】
【発明が解決しようとする課題】
【０００３】
しかしながら、前記ショーケースでは、図７に示すように底面側通風路２の前端上部に設けられた空気吸入口２ａから吸入された空気が図中実線矢印で示すように通風路２の底面まで下降した後、通風路２内の底面に沿ってファンダクト３の前面まで流通し、更に通風路２内の上面まで上昇してファンダクト３の送風機１に吸入される。このため、底面側通風路２内を流通する空気の流通抵抗が大きくなり、風量が低下して冷却効果が損なわれるとともに、流通空気と通風路２の内面やファンダクト３との接触により発生する騒音が増大するという問題点があった。
【０００４】
本発明は前記問題点に鑑みてなされたものであり、その目的とするところは、底面側通風路内の空気の流通抵抗による風量の低下を来すことがなく、しかも流通空気による騒音の低減を図ることのできるオープンショーケースを提供することにある。
【課題を解決するための手段】
【０００５】
本発明は前記目的を達成するために、前面を開口したショ−ケ−ス本体と、ショ−ケ−ス本体の少なくとも底面側に沿って延びる通風路と、底面側通風路内の前端側から後方に所定距離をおいて配置された送風機とを備え、底面側通風路の前端側上部に設けた空気吸入口から送風機によって底面側通風路内に空気を吸入するようにしたオープンショーケースにおいて、前記底面側通風路内の前端側に、空気吸入口から吸入された空気を底面側通風路内の所定高さ位置から送風機に向かって略水平に流通させる空気案内部を設けている。
【０００６】
これにより、空気吸入口から底面側通風路内に吸入された空気が空気案内部によって所定高さ位置から送風機に向かって略水平に流通することから、送風機まで流通する空気と底面側通風路の内面の接触が少なくなる。
【発明の効果】
【０００７】
本発明のオープンショーケースによれば、空気吸入口から吸入されて送風機まで流通する空気と底面側通風路の内面との接触を少なくすることができるので、底面側通風路内の空気の流通抵抗による風量の低下を来すことがなく、しかも流通空気による騒音の低減を図ることができる。
【発明を実施するための最良の形態】
【０００８】
図１乃至図４は本発明の一実施形態を示すものであり、図１はオープンショーケースの側面断面図、図２はその要部側面断面図、図３は空気案内部材の部分斜視図、図４は吸入空気の流通状態を示す要部側面断面図である。
【０００９】
このオープンショーケースは、前面を開口したショーケース本体１０と、ショーケース本体１０の上面、背面及び底面に沿って形成された通風路２０，３０，４０とを備えている。
【００１０】
ショーケース本体１０はその上面、背面及び底面を断熱壁１１によって覆われ、その左右両側面は図示しない側板によって覆われている。ショーケース本体１０内には上面側、背面側及び底面側を覆う上面板１２、背面板１３及び底面板１４が設けられ、上面板１２、背面板１３及び底面板１４と断熱壁１１の間には各通風路２０，３０，４０がそれぞれ形成されている。また、ショーケース本体１０内には商品棚１５が設けられている。
【００１１】
上面側通風路２０は前端に下方に向かって開口する空気吹出口２０ａを有し、空気吹出口２０ａにはハニカムからなる整流部材２１が取付けられている。上面側通風路２０内は前後方向に延びる仕切板２２によって上下に仕切られており、仕切板２２の上方が外側通風路２３を形成し、仕切板２２の下方が内側通風路２４を形成している。
【００１２】
背面側通風路３０は、その内部を上下方向に延びる仕切板３１によって前後に仕切られており、仕切板３１の後方が外側通風路３２を形成し、仕切板３１の前方が内側通風路３３を形成している。即ち、外側通風路３２及び内側通風路３３は上面側通風路２０の外側通風路２３及び内側通風路２４にそれぞれ連通している。また、内側通風路３３内には冷却器３４が設けられ、冷却器３４は図示しない冷凍回路に接続されている。
【００１３】
底面側通風路４０は前端に空気吸入口４０ａを有し、空気吸入口４０ａは上方に向かって開口している。底面側通風路４０内の前後方向略中央には送風機４１が底面側通風路４０内の前端側から後方に所定距離をおいて設けられ、送風機４１は前後方向に延びるファンダクト４２の前端側に配置されている。ファンダクト４２の上面前端側には送風機４１が前下りに傾斜するように取付けられ、ファンダクト４２の後端側は背面側通風路３０外側通風路３２及び内側通風路３３にそれぞれ連通している。また、底面側通風路４０内の前端側には、空気吸入口４０ａから吸入された空気を底面側通風路４０内の所定高さ位置から送風機４１に向かって略水平に流通させる空気案内部材４３が設けられている。空気案内部材４３は略Ｌ字状に屈曲した金属板等の板状部材からなり、底面側通風路４０の前端側内面から後方に向かって略水平に延びる水平面部４３ａと、水平面部４３ａの後端から底面側通風路４０の底面まで略垂直に延びる垂直面部４３ｂとから形成されている。また、空気案内部材４３は一端側及び他端側にそれぞれ取付片４３ｃを有し、各取付片４３ｃに設けた複数の孔４３ｄに挿入されるネジにより、底面側通風路４０の内面に固定されるようになっている。また、空気案内部材４３の水平面部４３ａは空気吸入口４０ａの前後方向の長さＬと同等またはやや長く形成され、送風機４１の上下方向略中央に対応する高さ位置に設けられている。尚、水平面部４３ａの高さ位置は送風機４１の上下方向略中央でなくとも、送風機４１の上端位置Ｈ1 から下端位置Ｈ2 の間であればよい。
【００１４】
以上のように構成されたオープンショーケースにおいては、送風機４１によって空気吸入口４０ａから底面側通風路４０内に吸入された空気がファンダクト４２を介して背面側通風路３０の外側通風路３２及び内側通風路３３にそれぞれ流入し、外側通風路３２を流通する空気は上面側通風路２０の外側通風路２３を介して空気吹出口２０ａから吹出される。また、背面側通風路３０の内側通風路３３を流通する空気は冷却器３４によって冷却された後、上面側通風路２０の内側通風路２４を介して空気吹出口２０ａから吹出される。これにより、ショーケース本体１０の前面開口部にエアカーテン５０が形成される。
【００１５】
その際、空気吸入口４０ａから底面側通風路４０内に吸入された空気は、空気案内部材４３の水平面部４３ａによって底面側通風路４０の後方に案内され、送風機４１に向かって略水平に流通することから、送風機４１まで流通する空気と底面側通風路４０の内面やファンダクト４２との接触が少なくなる。
【００１６】
このように、本実施形態のオープンショーケースによれば、底面側通風路４０内の前端側に設けた空気案内部材４３により、空気吸入口４０ａから吸入された空気を底面側通風路４０内の所定高さ位置から送風機４１に向かって略水平に流通させるようにしたので、送風機４１まで流通する空気と底面側通風路４０の内面やファンダクト４２との接触を少なくすることができ、これにより底面側通風路４０内の空気の流通抵抗による風量の低下を来すことがなく、しかも流通空気による騒音の低減を図ることができる。
【００１７】
この場合、空気案内部材４３を、底面側通風路４０の前端側内面から後方に向かって略水平に延びる水平面部４３ａと、水平面部４３ａの後端から底面側通風路４０の底面まで略垂直に延びる垂直面部４３ｂとから形成したので、水平面部４３ａによって空気を略水平方向に流通させるとともに、垂直面部４３ｂによって水平面部４３ａの下方への空気の巻き込みを防止することができ、空気吸入口４０ａから吸入された空気を確実に送風機４１に向かって略水平に流通させることができる。
【００１８】
また、空気案内部材４３の水平面部４３ａを空気吸入口４０ａの前後方向の長さＬと同等またはやや長く形成したので、空気吸入口４０ａから吸入された空気を水平面部４３ａに必要以上に長く接触させることがなく、流通空気と水平面部４３ａとの接触による流通抵抗や騒音を極めて少なくすることができる。
【００１９】
更に、水平面部４３ａを送風機４１の上端位置Ｈ1 から下端位置Ｈ2 の間に対応する高さ位置に設けたので、略水平方向に案内した空気を確実に送風機４１の吸入面に向かって流通させることができ、常に安定した略水平方向の空気の流れを形成することができる。この場合、水平面部４３ａを送風機４１の上下方向略中央に対応する高さ位置に設ければ、より一層効果的である。
【００２０】
また、空気案内部材４３を略Ｌ字状に屈曲した板状部材によって形成したので、空気案内部材４３を容易に製造することができるとともに、空気案内部材４３を有しない既設のショーケースにも取付けることができる。
【００２１】
尚、前記実施形態では、空気案内部としての空気案内部材４３を別部品により形成して底面側通風路４０内に取付けるようにしたものを示したが、図５に示すように底面側通風路４０の内壁（断熱壁１１）に空気案内部４４を一体に形成するようにすれば、製造時に空気案内部４４の取付作業が不要になるという利点がある。この場合、空気案内部４４には、前記空気案内部材４３と同様の水平面部４４ａ及び垂直面部４４ｂが形成されている。
【００２２】
また、前記実施形態では、送風機４１をファンダクト４２の上面前端側に前下りに傾斜するように取付けたものを示したが、図６に示すように送風機４５を底面側通風路４０の前方を臨むように設け、その後方に冷却器３５を配置するようにしたものであってもよい。
【００２３】
更に、前記実施形態では、底面側通風路４０以外に、ショーケース本体１０の上面側及び背面側にも通風路２０，３０を設けたものを示したが、底面側及び背面側のみに通風路を設けたもの、或いは底面側のみに通風路を設けたものであってもよい。
【図面の簡単な説明】
【００２４】
【図１】本発明の一実施形態を示すオープンショーケースの側面断面図
【図２】オープンショーケースの要部側面断面図
【図３】空気案内部材の部分斜視図
【図４】吸入空気の流通状態を示す要部側面断面図
【図５】空気案内部の変形例を示すオープンショーケースの要部側面断面図
【図６】空気案内部を他のオープンショーケースに設けた例を示す要部側面断面図
【図７】従来例を示すオープンショーケースの要部側面断面図
【符号の説明】
【００２５】
１０…ショーケース本体、１１…断熱壁、４０…底面側通風路、４１…送風機、４３…空気案内部材、４３ａ…水平面部、４３ｂ…垂直面部、４４…空気案内部、４４ａ…水平面部、４４ｂ…垂直面部、４５…送風機。
【図１】
2005308298.tif 000003
【図２】
2005308298.tif 000004
【図３】
2005308298.tif 000005
【図４】
2005308298.tif 000006
【図５】
2005308298.tif 000007
【図６】
2005308298.tif 000008
【図７】
2005308298.tif 000009